(57)【特許請求の範囲】
【請求項１】
枢軸を支点として回動することで開閉され、閉状態のときに所定の被挟持物を挟持するための挟持面を有する一対の挟持部と、
少なくとも一方の前記挟持部の前記挟持面に設けられ、前記挟持部が閉状態のときに前記被挟持物に当接する当接面を有する保護ブロックと、を備えており、
前記保護ブロックは、前記当接面に、前記挟持部が閉状態のときに前記被挟持物が嵌め込まれる溝が形成され、前記溝に嵌め込まれた前記被挟持物を押圧して成形可能になっている、
眼鏡枠用プライヤ。
【請求項２】
前記一対の挟持部の各々の前記挟持面は、眼鏡枠の所定部位の形状に合わせた形状であり、
前記溝は、前記眼鏡枠の前記所定部位の形状に合わせた形状に形成される、
請求項１記載の眼鏡枠用プライヤ。
【請求項３】
前記一対の挟持部の各々の前記挟持面の形状は、前記眼鏡枠の前記所定部位の形状に合わせて湾曲する、
請求項２記載の眼鏡枠用プライヤ。
【請求項４】
前記一対の挟持部は先端部が先細りに形成されており、
一方の挟持部の挟持面に前記保護ブロックが設けられ、他方の挟持部の先端部は筒状の保護部材で覆われている、
請求項１記載の眼鏡枠用プライヤ。
【請求項５】
前記一対の挟持部は、会合部位において交差するとともに前記枢軸を介して回動可能となるように枢支されており、それぞれが、操作者が片手で操作可能な脚部と一体に形成されている、
請求項１〜４のいずれかの項に記載の眼鏡枠用プライヤ。
【発明の詳細な説明】
【技術分野】
【０００１】
本発明は、眼鏡のテンプル、ブリッジ、智、リム等の眼鏡枠の形状を矯正する際に用いられる眼鏡枠用プライヤに関する。
【背景技術】
【０００２】
既製品の眼鏡枠のほとんどは、使用する個人に応じて形状の矯正を行う必要がある。そのために、眼鏡枠用の数十種類にも及ぶプライヤが市販されている。操作者は、プライヤにより眼鏡枠を挟持して押圧することで、眼鏡枠を矯正、成形することができる。プライヤには、例えば一方或いは両方の挟持面に樹脂製の保護ブロックを設けて、眼鏡枠の挟持部分や周辺部分のキズ付きを防止するものもある。
【０００３】
特許文献１は、挟み厚さを多様に変更でき、眼鏡枠の所定の部分を常に的確に挟持できるプライヤについての発明である。このプライヤは、一方の挟持部にくちばしを設け、他方の挟持部に保護ブロックを設けてある。保護ブロックの周面には挟持面が設けてあり、各挟持面の、保護ブロックの軸中心からの距離は異なっている。保護ブロックを回転させて挟持面を択一的にくちばしと対向させることで、くちばしと保護ブロックとの挟み厚さが変更できる。この保護ブロックは樹脂製であり、挟持部分や周辺部分のキズ付きを防ぐ機能も有している。
【特許文献１】特開２０００−２１８５５４号公報
【発明の開示】
【発明が解決しようとする課題】
【０００４】
多くの場合、眼鏡枠はチタン合金等の金属製や、樹脂製である。上記のように保護ブロックは樹脂製であるために、プライヤで眼鏡枠を挟持しようとすると、保護ブロックにより眼鏡枠が滑って、うまく挟持できない場合がある。眼鏡枠をうまく挟持できない場合には、押圧時に眼鏡枠がずれて、眼鏡枠を所望の形状に成形することが困難になる。
【０００５】
本発明は、上記のような問題に鑑み、眼鏡枠を挟持するときに、保護ブロックを用いていても従来より強固に挟持できるようにした眼鏡枠用プライヤを提供することを課題とする。
【課題を解決するための手段】
【０００６】
以上のような課題を解決する本発明の眼鏡枠用プライヤは、枢軸を支点として回動することで開閉され、閉状態のときに所定の被挟持物を挟持するための挟持面を有する一対の挟持部と、少なくとも一方の前記挟持部の前記挟持面に設けられ、前記挟持部が閉状態のときに前記被挟持物に当接する当接面を有する保護ブロックと、を備えており、前記保護ブロックは、前記当接面に、前記挟持部が閉状態のときに前記被挟持物が嵌め込まれる溝が形成されている。
【０００７】
被挟持物を、保護ブロックに形成された溝に嵌め込んで挟持するために、被挟持物が滑ったり、ずれたりすることがない。そのために、保護ブロックが従来と同じ樹脂製であっても、従来よりも強固に挟持できるようになる。
【０００８】
本発明の眼鏡枠用プライヤは、例えば、前記一対の挟持部の各々の前記挟持面が、眼鏡枠の所定の部位の形状に合わせた形状であり、前記溝が、前記挟持面に沿って形成される。このような形状であれば、前記保護ブロックは、前記挟持部が閉状態のときに、前記被挟持物を、押圧して前記眼鏡枠の所定の部位の形状に成形することができる。例えば、前記一対の挟持部の各々の前記挟持面の形状が、前記眼鏡枠の所定の部位の形状に合わせて同一方向に湾曲する場合には、前記保護ブロックは、前記挟持部が閉状態のときに、前記被挟持物を、押圧して前記湾曲した形状に成形することができる。
このような構成の眼鏡枠用プライヤは、被挟持物を所望の形状に容易に矯正することができる。
【０００９】
本発明の眼鏡枠用プライヤは、例えば、前記一対の挟持部の先端部が先細りに形成される。この場合、例えば、一方の挟持部の挟持面に前記保護ブロックが設けられ、他方の挟持部の先端部は筒状の保護部材で覆われる。保護部材により、被挟持物のキズ付きを防止することができる。
このような形状の眼鏡枠用プライヤは、眼鏡枠の細かい部分、例えばブリッジや智を挟持するのに適している。
【００１０】
以上のような本発明の眼鏡枠用プライヤは、例えば、前記一対の挟持部が、会合部位において交差するとともに前記枢軸を介して回動可能となるように枢支されており、それぞれが、操作者が片手で操作可能な脚部と一体に形成されている。このような構成では、操作者は、脚部を例えば把持するだけで容易に挟持部を操作可能になる。
【発明の効果】
【００１１】
以上のような本発明の眼鏡枠用プライヤにより、保護ブロックに形成された溝に被挟持物を嵌め込んで挟持するようにしたので、挟持するときの眼鏡枠の滑りやズレ等を防止でき、従来よりも強固に被挟持物を挟持可能になる。
【発明を実施するための最良の形態】
【００１２】
以下、本発明の実施形態を図面を参照して詳細に説明する。
図１は、本発明の第１実施形態に係る眼鏡枠用プライヤ１の外観図である。
このプライヤ１は、操作者が片手で操作可能な一対の脚部１０ａ、１０ｂと、挟持部１１ａ、１１ｂとを有する。脚部１０ａと挟持部１１ａ、脚部１０ｂと挟持部１１ｂは、それぞれ一体に形成されており、その会合部位において交差し、かつ、枢軸１６を介して回動することで開閉可能となるように枢支されている。なお、以下の説明では、挟持部１１ａを下側挟持部、挟持部１１ｂを上側挟持部と称する場合がある。
【００１３】
脚部１０ａ、１０ｂには、それぞれ合成樹脂皮膜体等により握り部１２ａ、１２ｂが設けられている。
【００１４】
上側挟持部１１ｂの先端部１３ｂは、上側挟持部１１ｂの伸長方向及び上側挟持部１１ｂの回動方向に対して垂直方向に広がっているとともに上側に反っている。同様に、下側挟持部１１ａの先端部１３ａは、下側挟持部１１ａの伸長方向及下側挟持部１１ａの回動方向に対して垂直方向に広がっているとともに上側に反っている。
挟持部１１ａ、１１ｂの先端部１３ａ、１３ｂは、被挟持物を挟持するときの挟持面の形状が、眼鏡枠の所定の部位の形状、例えばリムの形状に対応しており、当該所定の部位を挟持するのに適した形状に形成されている。
【００１５】
挟持部１１ａ、１１ｂの各々の先端部１３ａ、１３ｂには、挟持面に、例えば樹脂製の保護ブロック１４ａ、１４ｂがねじ１７ａ、１７ｂにより取り付けられる。保護ブロック１４ａ、１４ｂにより被挟持物へのキズ付きを防止する。
保護ブロック１４ａ、１４ｂは、挟持の際に被挟持物に当接する当接面に、それぞれ溝１５ａ、１５ｂが形成される。溝１５ａ、１５ｂは、保護ブロック１４ａ、１４ｂが取り付けられる先端部１３ａ、１３ｂの挟持面に沿って形成される。
【００１６】
操作者が、プライヤ１の握り部１２ａ、１２ｂを操作することで、挟持部１１ａ、１１ｂの開閉動作が行われる。挟持部１１ａ、１１ｂの閉動作により、保護ブロック１４ａ、１４ｂにより、被挟持物の挟持が行われる。挟持部１１ａ、１１ｂを閉状態にして被挟持物を挟持し、押圧することで、被挟持物を眼鏡枠の所定の部位の形状に成形することができる。
図２（ａ）、（ｂ）、（ｃ）は、保護ブロック１４ａ、１４ｂにより被挟持物を挟持して押圧し、成形するまでの動作を説明する図である。
【００１７】
まず、図２（ａ）に示すように、挟持部１１ａ、１１ｂが開状態で、保護ブロック１４ａの溝１５ａに被挟持物２０が嵌め込まれる。
次いで、図２（ｂ）に示すように、挟持部１１ａ、１１ｂが閉状態になり、保護ブロック１４ａ、１４ｂで被挟持物２０を挟持する。被挟持物２０は、保護ブロック１４ａ、１４ｂの溝１５ａ、１５ｂに嵌るために、保護ブロック１４ａ、１４ｂの間で滑ったりずれたりすることなく、強固に挟持される。被挟持物２０は、この状態で押圧されて成形される。
次いで、図２（ｃ）に示すように、挟持部１１ａ、１１ｂが開状態になり、被挟持物２０の成形が終了する。この結果、被挟持物２０は溝１５ａ、１５ｂの形状に成形される。
【００１８】
プライヤ１は、先端部１３ａ、１３ｂが眼鏡枠の所定の部位の形状に対応するために、被挟持物２０を当該所定の部位の形状に矯正する作業に適している。また、保護ブロック１４ａ、１４ｂの溝１５ａ、１５ｂにより挟持時に被挟持物２０がずれることが無いために、被挟持物２０を容易に当該所望の部位の形状に矯正することができ、作業の効率化が図れる。
【００１９】
図３は、本発明の第２実施形態に係る眼鏡枠用プライヤ２の外観図である。
プライヤ２は、挟持部１１ａ、１１ｂの先端部の形状及び先端部に取り付けられる保護ブロック１４の形状、保護ブロック１４の数を除いて、第１実施形態のプライヤ１と同じ形状、構成である。プライヤ２には、保護ブロック１４が、下側挟持部１１ａにしか取り付けられていない。プライヤ１と同じ構成については説明を省略する。
【００２０】
挟持部１１ａ、１１ｂは、先端部が先細りに形成される。下側挟持部１１ａには、保護ブロック１が設けられる。上側挟持部１１ｂには、保護ブロックではなく、単に上側挟持部１１ｂを覆うだけの筒状の保護部材１８が被せられる。保護部材１８には、樹脂等を用いることができる。
【００２１】
保護ブロック１４は、当接面に溝１５が形成される。この溝１５も、プライヤ１の溝１５ａ、ｂと同様に、眼鏡枠のいずれかの部位を挟持するのに適した形状である。プライヤ２の例では、ブリッジを挟持するのに適した溝１５が形成されている。
【００２２】
ブリッジを矯正する際には、例えばプライヤ２を２つ用いて各々でブリッジを挟持して、所望の形状に曲げたり、伸ばしたりする。ブリッジは、プライヤ２の溝１５に嵌るために、滑ったり、ずれたりすることがない。そのために、ブリッジの矯正を容易に行うことができる。
【００２３】
なお、プライヤ２では、保護ブロック１４が下側挟持部１１ａにしか取り付けられていないが、勿論、保護部材１８に代えて上側挟持部１１ｂにも保護ブロックを取り付けてよい。上側挟持部１１ｂに取り付けられる保護ブロックには、溝の有無は問わない。
【００２４】
プライヤ１は、保護ブロック１４ａ、１４ｂを２個用い、プライヤ２は保護ブロック１４を１個用いている。保護ブロックを幾つ用いるかは、例えばプライヤ１、２がそれぞれ眼鏡枠のどの部位を挟持するかによって決まる。例えばブリッジや智のように、小さい部位を挟持する場合には、作業の空間的な制約もあり保護ブロックが１個用いられ、テンプルやリムを挟持する場合には、２個用いられる。
【図面の簡単な説明】
【００２５】
【図１】本発明の第１実施形態に係る眼鏡枠用プライヤの外観図である。
【図２】保護ブロックによる被挟持物の挟持、成形を説明するための図であり、分図（ａ）は被挟持物が溝に嵌め込まれる様子を表す図であり、分図（ｂ）は挟持部が閉状態で被挟持物を成形するときの状態を表し、分図（ｃ）は成形が終了したときの状態を表す。
【図３】本発明の第２実施形態に係る眼鏡枠用プライヤの外観図である。
【符号の説明】
【００２６】
１、２  プライヤ
１０ａ、１０ｂ  脚部
１１ａ、１１ｂ  挟持部
１２ａ、１２ｂ  握り部
１３ａ、１３ｂ  先端部
１４、１４ａ、１４ｂ  保護ブロック
１５、１５ａ、１５ｂ  溝
１６  枢軸
１７ａ、１７ｂ  ねじ
１８  保護部材
２０  被挟持物
【図１】
0005021392.tif 000002
【図２】
0005021392.tif 000003
【図３】
0005021392.tif 000004